(57)【要約】      （修正有）【課題】安価かつ軽量で敷設作業が容易な光乱反射防草シートを提供する。【解決手段】光乱反射防草シート１は、黒色のシート層から成る基布２と、基布の上に重ねて貼り合わせてなる白色のシート層から成る表布３と、を備えて成り、基布２は、黒色のポリエステル又はポリプロピレンで成る繊維を用いた不織布で成り、表布３は、白色のポリエステル又はポリプロピレンで成る繊維を用いた不織布又は綿で成る。光を殆ど透過しないので、ソーラパネルへの太陽光照射、及び防草に有効となる。【選択図】図１
0003219118.tif 000002
【実用新案登録請求の範囲】
【請求項１】
黒色のシート層から成る基布と、
前記基布の上に重ねて貼り合わせてなる白色のシート層から成る表布と、
を備えて成る光乱反射防草シート。
【請求項２】
前記基布は、黒色のポリエステル又はポリプロピレンで成る繊維を用いた不織布で成り、前記表布は、白色のポリエステル又はポリプロピレンで成る繊維を用いた不織布又は綿で成ることを特徴とする請求項１記載の光乱反射防草シート。
【請求項３】
前記表布の厚みは、前記基布の厚みと同等又は前記基布の厚みよりも厚いことを特徴とする請求項１又は請求項２に記載の光乱反射防草シート。
【請求項４】
前記基布と前記表布とは、貼り合わせ面が融着されていることを特徴とする請求項１乃至請求項３のいずれか一項に記載の光乱反射防草シート。
【考案の詳細な説明】
【技術分野】
【０００１】
本考案は、光の乱反射性に優れた光乱反射防草シートに関する。
【背景技術】
【０００２】
従来、この種の光乱反射シートは、ゴムシートの表面に金属箔を貼り合わせたものが知られている(例えば、特許文献１参照)。
【特許文献１】特開２０１４−１０４６５７号公報
【考案の概要】
【考案が解決しようとする課題】
【０００３】
しかしながら、このような従来の光乱反射シートは、高価であり、施設することも容易ではない。昨今では、ソーラパネルでの発電効果を高めるため、及び防草のために、ソーラパネルの設置床面に光乱反射防草シートを敷設することがあり、安価かつ軽量で敷設作業が容易な光乱反射防草シートの実現が要請されている。
本考案は、ソーラパネル用に適した、安価かつ軽量で敷設作業が容易な光乱反射防草シートを提供することを目的とする。
【課題を解決するための手段】
【０００４】
本考案は、上記課題を達成するものであり、黒色のシート層から成る基布と、前記基布の上に重ねて貼り合わせてなる白色のシート層から成る表布と、を備えて成る光乱反射防草シートである。
また、前記基布は、黒色のポリエステル又はポリプロピレンで成る繊維を用いた不織布で成り、前記表布は、白色のポリエステル又はポリプロピレンで成る繊維を用いた不織布又は綿で成ることが望ましい。
また、前記表布の厚みは、前記基布の厚みと同等又は前記基布の厚みよりも厚いことが望ましい。
また、前記基布と前記表布とは、貼り合わせ面が融着されていることが望ましい。
【考案の効果】
【０００５】
本考案によれば、白色のシート層から成る表布は、光を乱反射し易く、表布の下に黒色のシート層から成る基布があることで、光が殆ど透過しなくなり、防草効果があり、ソーラパネルへ太陽光を照射するに適した光反射防草シートが得られる。また、金属箔等を用いていないので、軽量かつ安価で敷設作業が容易となる。
さらに、基布が黒色のポリエステル又はポリプロピレンで成る繊維を用いた不織布で成り、表布が白色のポリエステル又はポリプロピレンで成る繊維を用いた不織布又は綿で成ることで、安価かつ軽量なものが得られる。
さらに、表布の厚みが基布の厚みと同等又は基布の厚みよりも厚いことで、光を乱反射し易く、かつ光が透過し難くなり、光反射防草シートとして好適なものとなる。
さらに、基布と表布とを貼り合わせた面が融着されていることで、防草シートの形状が安定したものとなる。
【図面の簡単な説明】
【０００６】
【図１】本考案の一実施形態による光乱反射防草シートの斜視図である。
【図２】同光乱反射防草シートをソーラパネルの設置床面に敷設したときの構成及び作用を示す側面図である。
【図３】同光乱反射防草シートの光反射試験の結果を示す図である。
【考案を実施するための形態】
【０００７】
以下、本考案の一実施形態による光乱反射防草シートについて図面を参照して説明する。図１は、光乱反射防草シート１の構成を示す。光乱反射防草シート１は、黒色のシート層から成る基布２と、この基布２の上に重ねて貼り合わせてなる白色のシート層から成る表布３と、を備えて成る。白色のシート層から成る表布３は、光を乱反射し易く、表布３の下にある黒色のシート層から成る基布２は、黒色であるために光を吸収し、透過を抑えており、結果的に光反射防草シートとして有効なものとなる。
【０００８】
ここに、表布３も基布２も白色であると、光を多く透過させてしまう。この光乱反射防草シート１の作用効果は、後述の試験結果から明らかである。また、光乱反射防草シート１は、金属箔等を用いていないので、軽量かつ安価で敷設作業が容易となる。白色の表布３の表面は、微細な凹凸構造を持つフェルト状にしていて、乱反射機能を高くしている。また、光乱反射防草シート１は、透水性を有する。白色の表布３は、顔料として酸化チタンが使用されているものが好適である。また、黒色の基布２は、例えばカーボンを含有させることにより容易に生産することができる。
【０００９】
本実施形態の光乱反射防草シート１において、基布２が黒色のポリエステル又はポリプロピレンで成る繊維を用いた不織布で成り、表布３が白色のポリエステル又はポリプロピレンで成る繊維を用いた不織布又は綿で成る。このような組成で成ることで、安価かつ軽量なものが得られる。このシート１は、透水性はあるが、光を殆ど透過しないことから、防草効果が得られる。
【００１０】
また、表布３の厚みが、基布２の厚みと同等又は基布２の厚みよりも厚いものとしている。これにより、光を乱反射し易く、かつ光が殆ど透過しなくなり、光反射防草シートとして好適なものとなる。光乱反射防草シート１の全体の厚みは、軽量化しつつ光乱反射機能を持たせるために、４ｍｍ〜１０ｍｍ程度が好ましく、また、白色部分が黒色部分に対して５０％〜６５％程度であることが好ましい。光乱反射防草シート１の大きさは、任意であるが、敷設の作業効率性が良いように、例えば縦横１ｍ矩形とすればよい。
【００１１】
また、基布２と表布３とを貼り合わせた面は、融着されている。これにより、防草シートの形状が安定したものとなる。
【００１２】
図２は、光乱反射防草シート１をソーラパネルの設置床面に敷設したときの構成及び作用を示す。光乱反射防草シート１は、ソーラパネル４の設置床面５に敷設される。一般に、ソーラパネル４は、太陽光を受け易い角度になるように設置床面５に足場６でもって斜めに設置される。光乱反射防草シート１に太陽光が当たると、太陽光は矢印のように乱反射され、ソーラパネル４はその乱反射光によって照射される。ソーラパネル４は、通常、複数のものが適宜の間隔をおいて連続的に設置されているので、乱反射光によって照射される光は、ソーラパネル４の裏面側だけでなく表面側にも照射され、発電効果が高まる。ソーラパネル４が両面パネルの場合は、より有効となる。光乱反射防草シート１は、地面に敷設されるだけでなく、垂直なフェンスとして設置してもよい。
【００１３】
光乱反射防草シート１が敷設されると、光を殆ど透過しないので、光乱反射防草シート１に覆われている地面の雑草が成長しなくなり、防草効果があり、また、光乱反射防草シート１が雑草によって浮き上がることも防止される。また、光乱反射防草シート１は、透水性があるので、シート上面に雨水が溜まることもない。
【００１４】
図３は、光乱反射防草シート１の光反射試験の結果を示す。横軸は光の波長（ｎｍ）を示し、縦軸は反射率（％）を示す。ａはダークグレイのエコ（乱反射防草）シート、ｂは白黒のエコ（乱反射防草）シート（本実施例）、ｃは半年経過の白黒のエコ（乱反射防草）シート（本実施例）の各場合の波長に対する反射率の変化を示す。測定は、平成３０年８月１７日にＵＶ−Ｖｉｓ−ＮＩＲ分光光度計を用いて行った。測定値から、ａのエコシートでは、反射率が極めて低いのに対して、ｃの本実施例のエコシートでは、反射率が極めて高いことが分かる。
【００１５】
次に、光乱反射防草シート１の製造方法を説明する。多数の針を用いたニードルパンチ製法により基布２となる黒層の不織布を製造し、この基布２に表布３となる綿を重ねて、ニードルパンチ製法により、白層を形成すると同時に、黒白二層の貼り合わせを行う。こうして白層と黒層とが一体となった不織布をより強固に貼り合わせるために、熱処理ラインで不織布に熱風を通すことで、原料の一部である低融点ポリエステル又はポリプロピレンで成る繊維を融かし、バインダー効果で二層を融着させる。これら工程により、光乱反射防草シート１の形状も安定させることができる。
【００１６】
上記のような本実施形態の光乱反射防草シート１は、建物ビルの屋上等に専用接着剤で固定して使用することもできる。これにより、太陽光を遮蔽して断熱し、省エネルギー効果が得られる。また、果樹園等で使用しても、太陽光の乱反射により果樹の育成を促進する効果が得られる。また、長期使用により光乱反射防草シート１の白色部分が土砂などにより汚れて黒ずんだときは、高圧洗浄によりクリーニングして瞬時に復元（表面を元の白色に）することもできる。
【００１７】
本考案は、上記実施形態の構成に限られるものではなく、各種の変形が可能である。例えば、白黒二層防草シートとするために、黒色、白色の顔料等は任意のものを使用することができる。
【符号の説明】
【００１８】
１  光乱反射防草シート
２  黒色のシート層から成る基布
３  白色のシート層から成る表布
【図１】
0003219118.tif 000003
【図２】
0003219118.tif 000004
【図３】
0003219118.tif 000005